(57)【要約】  本願の実施例は、中継ノードデバイスが動的に構成される第１の時間領域リソースに応じて、その親ノードデバイスにより送信されたメッセージを受信し、動的に構成される第２の時間領域リソースに応じて、その子ノードデバイスにメッセージを送信することで、５Ｇ ＮＲがｂａｃｋｈａｕｌ ｌｉｎｋ通信に対する要求を満たすことができる中継ネットワークの二重調整方法及び中継ノードデバイスを提供する。該方法は、第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することを含み、ここで、該構成情報が該第１の時間領域リソース及び／又は該第２の時間領域リソースを示し、該第２のノードデバイスが該第１のノードデバイスの親ノードであり、該第３のノードデバイスが該第１のノードデバイスの子ノードである。
2021515432.tif 000002
【特許請求の範囲】
【請求項１】
第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することを含み、
前記構成情報が前記第１の時間領域リソース及び／又は前記第２の時間領域リソースを示し、前記第２のノードデバイスが前記第１のノードデバイスの親ノードであり、前記第３のノードデバイスが前記第１のノードデバイスの子ノードである
ことを特徴とする中継ネットワークの二重調整方法。
【請求項２】
前記第１の時間領域リソース及び／又は前記第２の時間領域リソースが下り時間領域リソースである
ことを特徴とする請求項１に記載の中継ネットワークの二重調整方法。
【請求項３】
前記第１の時間領域リソース及び／又は前記第２の時間領域リソースが柔軟スロットリソースを含む
ことを特徴とする請求項１又は２に記載の中継ネットワークの二重調整方法。
【請求項４】
前記第１の時間領域リソースと前記第２の時間領域リソースとは、互いに重複されない
ことを特徴とする請求項１〜３のいずれか１項に記載の中継ネットワークの二重調整方法。
【請求項５】
前記第２の時間領域リソースが第３の時間領域リソースの一部又は全部であり、
前記第３の時間領域リソースが前記第１の時間領域リソースの以外の下り時間領域リソースである
ことを特徴とする請求項４に記載の中継ネットワークの二重調整方法。
【請求項６】
前記第１の時間領域リソースと前記第２の時間領域リソースとは、一部又は全部が重複される
ことを特徴とする請求項１〜３のいずれか１項に記載の中継ネットワークの二重調整方法。
【請求項７】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
前記第１のノードデバイスが前記第１の時間領域リソースにおいて前記第２のノードデバイスにより送信された前記第１のメッセージを優先的に受信することを含む
ことを特徴とする請求項６に記載の中継ネットワークの二重調整方法。
【請求項８】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
前記第１のノードデバイスが前記第２の時間領域リソースのうちの前記第１の時間領域リソースと重複されない領域において第３のノードデバイスに前記第２のメッセージを優先的に送信することを含む
ことを特徴とする請求項６に記載の中継ネットワークの二重調整方法。
【請求項９】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
非連続受信ＤＲＸ構成情報が前記第１の時間領域リソースにおいて前記第２のノードデバイスにより送信された前記第１のメッセージを受信する必要がないことを示す場合、前記第１のノードデバイスが前記第２の時間領域リソースにおいて前記第３のノードデバイスに前記第２のメッセージを送信することを含み、
前記ＤＲＸ構成情報は、前記第１のノードデバイが非アクティブ化のタイマーの動作時間内又は連続タイマーの動作時間内にメッセージを受信し、非アクティブ化のタイマー又は連続タイマーがタイムアウトした後にメッセージの受信を拒絶するように指示する
ことを特徴とする請求項６〜８のいずれか１項に記載の中継ネットワークの二重調整方法。
【請求項１０】
前記構成情報が第１の構成情報及び第２の構成情報を含み、前記第１の構成情報が前記第１の時間領域リソースを示し、前記第２の構成情報が前記第２の時間領域リソースを示す
ことを特徴とする請求項６〜９のいずれか１項に記載の中継ネットワークの二重調整方法。
【請求項１１】
前記第１のメッセージ及び／又は前記第２のメッセージが下り参照信号又はシステムメッセージである場合、
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
前記第１のノードデバイスが前記第１の時間領域リソースのうちの前記第２の時間領域リソースと重複されない領域において前記第２のノードデバイスにより送信された前記第１のメッセージを受信し、及び／又は、前記第２の時間領域リソースのうちの前記第１の時間領域リソースと重複されない領域において第３のノードデバイスに前記第２のメッセージを送信することを含む
ことを特徴とする請求項６〜１０のいずれか１項に記載の中継ネットワークの二重調整方法。
【請求項１２】
前記方法は、さらに、
前記第１のノードデバイスが前記第１の時間領域リソース、及び／又は、前記第２の時間領域リソース、及び／又は、前記第１の時間領域リソースと前記第２の時間領域リソースと重複される領域、及び／又は、前記第１の時間領域リソースと前記第２の時間領域リソースと重複されない領域を前記第３のノードデバイスに送信することを含む
ことを特徴とする請求項６〜１１のいずれか１項に記載の中継ネットワークの二重調整方法。
【請求項１３】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
前記第１のノードデバイスが前記構成情報及びＤＲＸ構成情報に基づいて、前記第１の時間領域リソースにおいて前記第２のノードデバイスにより送信された前記第１のメッセージを受信し、前記第２の時間領域リソースにおいて前記第３のノードデバイスに前記第２のメッセージを送信することを含み、
前記第１のノードデバイスは、前記第１の時間領域リソースの以外の下り時間領域リソースにおいて、前記第１のノードデバイスが前記第１のメッセージを受信することを示す前記ＤＲＸ構成情報を無視し、前記第１のメッセージの受信を拒絶し、
前記ＤＲＸ構成情報は、前記第１のノードデバイが非アクティブ化のタイマーの動作時間内又は連続タイマーの動作時間内にメッセージを受信し、非アクティブ化のタイマー又は連続タイマーがタイムアウトした後にメッセージの受信を拒絶するように指示する
ことを特徴とする請求項１〜１２のいずれか１項に記載の中継ネットワークの二重調整方法。
【請求項１４】
前記第１のノードデバイスが前記構成情報に基づいて、前記第１の時間領域リソースにおいて前記第２のノードデバイスにより送信された前記第１のメッセージを受信し、前記第２の時間領域リソースにおいて前記第３のノードデバイスに前記第２のメッセージを送信する前に、前記方法は、さらに、
前記第１のノードデバイスが第４のノードデバイスにより送信された前記構成情報を受信することを含み、前記第４のノードデバイスは、前記第２のノードデバイス、アンカーノードデバイス、アクセスネットワークデバイス、又はコアネットワークデバイスである
ことを特徴とする請求項１〜１３のいずれか１項に記載の中継ネットワークの二重調整方法。
【請求項１５】
前記第１のノードデバイスが第４のノードデバイスにより送信された前記構成情報を受信することは、
前記第１のノードデバイスが、前記第４のノードデバイスにより無線リソース制御ＲＲＣ、メディアアクセス制御制御要素ＭＡＣ  ＣＥ、又は下り制御情報ＤＣＩを介して送信された前記構成情報を受信することを含む
ことを特徴とする請求項１４に記載の中継ネットワークの二重調整方法。
【請求項１６】
前記方法は、さらに、
前記第１のノードデバイスが第５の時間領域リソースにおいて第５のノードデバイスと端末間Ｄ２Ｄ通信を行うことを含み、
前記第５の時間領域リソースが第６のノードデバイスにより構成され、前記第６のノードデバイスは、前記第２のノードデバイス、アンカーノードデバイス、アクセスネットワークデバイス、又はコアネットワークデバイスである
ことを特徴とする請求項１〜１５のいずれか１項に記載の中継ネットワークの二重調整方法。
【請求項１７】
第１のノードデバイスが第２のノードデバイスにより送信された時間領域リソース情報を受信することと、
前記第１のノードデバイスが前記時間領域リソース情報に基づいて、前記第２のノードデバイスにより送信されたメッセージを受信することとを含み、
前記第２のノードデバイスが前記第１のノードデバイスの親ノードである
ことを特徴とする中継ネットワークの二重調整方法。
【請求項１８】
前記時間領域リソース情報が第１の時間領域リソース、及び／又は、第２の時間領域リソース、及び／又は、前記第１の時間領域リソースと前記第２の時間領域リソースと重複される領域、及び／又は、前記第１の時間領域リソースと前記第２の時間領域リソースと重複されない領域を含み、
前記第２のノードデバイスが前記第１の時間領域リソースで第３のノードデバイスにより送信されたメッセージを受信し、前記第２の時間領域リソースで前記第１のノードデバイスにメッセージを送信し、前記第３のノードデバイスが前記第２のノードデバイスの親ノードである
ことを特徴とする請求項１７に記載の中継ネットワークの二重調整方法。
【請求項１９】
前記時間領域リソース情報が前記第１の時間領域リソースを含む場合、
前記第１のノードデバイスが前記時間領域リソース情報に基づいて、前記第２のノードデバイスにより送信されたメッセージを受信することは、
前記第１のノードデバイスが前記第１の時間領域リソースの以外の時間領域リソースにおいて前記第２のノードデバイスにより送信されたメッセージを受信することを含む
ことを特徴とする請求項１８に記載の中継ネットワークの二重調整方法。
【請求項２０】
前記時間領域リソース情報が前記第１の時間領域リソース、及び／又は、前記第２の時間領域リソースを含む場合、
前記第１のノードデバイスが前記時間領域リソース情報に基づいて、前記第２のノードデバイスにより送信されたメッセージを受信することは、
前記第１のノードデバイスが前記第２の時間領域リソースにおいて前記第２のノードデバイスにより送信されたメッセージを受信することを含む
ことを特徴とする請求項１８に記載の中継ネットワークの二重調整方法。
【請求項２１】
前記時間領域リソース情報が前記第１の時間領域リソース、及び／又は、前記第２の時間領域リソース、及び／又は、前記第１の時間領域リソースと前記第２の時間領域リソースと重複される領域を含む場合、
前記第１のノードデバイスが前記時間領域リソース情報に基づいて、前記第２のノードデバイスにより送信されたメッセージを受信することは、
前記第１のノードデバイスが第３の時間領域リソースにおいて前記第２のノードデバイスにより送信されたメッセージを優先的に受信することを含み、
前記第３の時間領域リソースは、前記第２の時間領域リソースのうち、前記第１の時間領域リソースと前記第２の時間領域リソースと重複される領域の以外の時間領域リソースである
ことを特徴とする請求項１８に記載の中継ネットワークの二重調整方法。
【請求項２２】
前記時間領域リソース情報が前記第１の時間領域リソース、及び／又は、前記第２の時間領域リソース、及び／又は、前記第１の時間領域リソースと前記第２の時間領域リソースと重複される領域、及び／又は、前記第１の時間領域リソースと前記第２の時間領域リソースと重複されない領域を含む場合、
前記第１のノードデバイスが前記時間領域リソース情報に基づいて、前記第２のノードデバイスにより送信されたメッセージを受信することは、
前記第１のノードデバイスが前記第２の時間領域リソースのうちの前記第１の時間領域リソースと前記第２の時間領域リソースと重複されない領域において前記第２のノードデバイスにより送信されたメッセージを優先的に受信することを含む
ことを特徴とする請求項１８に記載の中継ネットワークの二重調整方法。
【請求項２３】
通信ユニットを備える中継ノードデバイスであって、
前記通信ユニットは、構成情報に基づいて、第１の時間領域リソースにおいて第２のノードデバイスにより送信された第１のメッセージを受信し、第２の時間領域リソースにおいて第３のノードデバイスに第２のメッセージを送信するように構成され、
前記構成情報が前記第１の時間領域リソース及び／又は前記第２の時間領域リソースを示し、前記第２のノードデバイスが前記中継ノードデバイスの親ノードであり、前記第３のノードデバイスが前記中継ノードデバイスの子ノードである
ことを特徴とする中継ノードデバイス。
【請求項２４】
前記第１の時間領域リソース及び／又は前記第２の時間領域リソースが下り時間領域リソースである
ことを特徴とする請求項２３に記載の中継ノードデバイス。
【請求項２５】
前記第１の時間領域リソース及び／又は前記第２の時間領域リソースが柔軟スロットリソースを含む
ことを特徴とする請求項２３又は２４に記載の中継ノードデバイス。
【請求項２６】
前記第１の時間領域リソースと前記第２の時間領域リソースとは、互いに重複されない
ことを特徴とする請求項２３〜２５のいずれか１項に記載の中継ノードデバイス。
【請求項２７】
前記第２の時間領域リソースが第３の時間領域リソースの一部又は全部であり、
前記第３の時間領域リソースが前記第１の時間領域リソースの以外の下り時間領域リソースである
ことを特徴とする請求項２６に記載の中継ノードデバイス。
【請求項２８】
前記第１の時間領域リソースと前記第２の時間領域リソースとは、一部又は全部が重複される
ことを特徴とする請求項２３〜２５のいずれか１項に記載の中継ノードデバイス。
【請求項２９】
前記通信ユニットは、
前記第１の時間領域リソースにおいて前記第２のノードデバイスにより送信された前記第１のメッセージを優先的に受信するように構成される
ことを特徴とする請求項２８に記載の中継ノードデバイス。
【請求項３０】
前記通信ユニットは、
前記第２の時間領域リソースのうちの前記第１の時間領域リソースと重複されない領域において第３のノードデバイスに前記第２のメッセージを優先的に送信するように構成される
ことを特徴とする請求項２８に記載の中継ノードデバイス。
【請求項３１】
前記通信ユニットは、
非連続受信ＤＲＸ構成情報が前記第１の時間領域リソースにおいて前記第２のノードデバイスにより送信された前記第１のメッセージを受信する必要がないことを示す場合、前記第１のノードデバイスが前記第２の時間領域リソースにおいて前記第３のノードデバイスに前記第２のメッセージを送信するように構成され、
前記ＤＲＸ構成情報は、前記第１のノードデバイが非アクティブ化のタイマーの動作時間内又は連続タイマーの動作時間内にメッセージを受信し、非アクティブ化のタイマー又は連続タイマーがタイムアウトした後にメッセージの受信を拒絶するように指示する
ことを特徴とする請求項２８〜３０のいずれか１項に記載の中継ノードデバイス。
【請求項３２】
前記構成情報が第１の構成情報及び第２の構成情報を含み、前記第１の構成情報が前記第１の時間領域リソースを示し、前記第２の構成情報が前記第２の時間領域リソースを示す
ことを特徴とする請求項２８〜３１のいずれか１項に記載の中継ノードデバイス。
【請求項３３】
前記第１のメッセージ及び／又は前記第２のメッセージが下り参照信号又はシステムメッセージである場合、
前記通信ユニットは、
前記第１の時間領域リソースのうちの前記第２の時間領域リソースと重複されない領域において前記第２のノードデバイスにより送信された前記第１のメッセージを受信し、及び／又は、前記第２の時間領域リソースのうちの前記第１の時間領域リソースと重複されない領域において第３のノードデバイスに前記第２のメッセージを送信するように構成される
ことを特徴とする請求項２８〜３２のいずれか１項に記載の中継ノードデバイス。
【請求項３４】
前記通信ユニットは、さらに、前記第１の時間領域リソース、及び／又は、前記第２の時間領域リソース、及び／又は、前記第１の時間領域リソースと前記第２の時間領域リソースと重複される領域、及び／又は、前記第１の時間領域リソースと前記第２の時間領域リソースと重複されない領域を前記第３のノードデバイスに送信するように構成される
ことを特徴とする請求項２８〜３３のいずれか１項に記載の中継ノードデバイス。
【請求項３５】
前記通信ユニットは、
構成情報及びＤＲＸ構成情報に基づいて、前記第１の時間領域リソースにおいて前記第２のノードデバイスにより送信された前記第１のメッセージを受信し、前記第２の時間領域リソースにおいて前記第３のノードデバイスに前記第２のメッセージを送信するように構成され、
前記中継ノードデバイスは、前記第１の時間領域リソースの以外の下り時間領域リソースにおいて、前記中継ノードデバイスが前記第１のメッセージを受信することを示す前記ＤＲＸ構成情報を無視し、前記第１のメッセージの受信を拒絶し、
前記ＤＲＸ構成情報は、前記中継ノードデバイスが非アクティブ化のタイマーの動作時間内又は連続のタイマーの動作時間内にメッセージを受信し、非アクティブ化のタイマー又は連続のタイマーがタイムアウトした後にメッセージの受信を拒絶するように指示する
ことを特徴とする請求項２３〜３４のいずれか１項に記載の中継ノードデバイス。
【請求項３６】
前記通信ユニットが前記構成情報に基づいて、前記第１の時間領域リソースにおいて前記第２のノードデバイスにより送信された前記第１のメッセージを受信し、前記第２の時間領域リソースにおいて前記第３のノードデバイスに前記第２のメッセージを送信する前に、前記通信ユニットは、さらに、
第４のノードデバイスにより送信された前記構成情報を受信するように構成され、前記第４のノードデバイスは、前記第２のノードデバイス、アンカーノードデバイス、アクセスネットワークデバイス、又はコアネットワークデバイスである
ことを特徴とする請求項２３〜３５のいずれか１項に記載の中継ノードデバイス。
【請求項３７】
前記通信ユニットは、
前記第４のノードデバイスが無線リソース制御ＲＲＣ、メディアアクセス制御制御要素ＭＡＣ  ＣＥ、又は下り制御情報ＤＣＩを介して送信した前記構成情報を受信するように構成される
ことを特徴とする請求項３６に記載の中継ノードデバイス。
【請求項３８】
前記通信ユニットは、さらに、第５の時間領域リソースにおいて第５のノードデバイスと端末間Ｄ２Ｄ通信を行うように構成され、
前記第５の時間領域リソースが第６のノードデバイスにより構成され、前記第６のノードデバイスは、前記第２のノードデバイス、アンカーノードデバイス、アクセスネットワークデバイス、又はコアネットワークデバイスである
ことを特徴とする請求項２３〜３７のいずれか１項に記載の中継ノードデバイス。
【請求項３９】
通信ユニットを備える中継ノードデバイスであって、
前記通信ユニットは、第２のノードデバイスにより送信された時間領域リソース情報を受信するように構成され、
前記第２のノードデバイスが前記中継ノードデバイスの親ノードであり、
前記通信ユニットは、さらに、前記時間領域リソース情報に基づいて、前記第２のノードデバイスにより送信されたメッセージを受信するように構成される
ことを特徴とする記載の中継ノードデバイス。
【請求項４０】
前記時間領域リソース情報が第１の時間領域リソース、及び／又は、第２の時間領域リソース、及び／又は、前記第１の時間領域リソースと前記第２の時間領域リソースと重複される領域、及び／又は、前記第１の時間領域リソースと前記第２の時間領域リソースと重複されない領域を含み、
前記第２のノードデバイス前記第１の時間領域リソースで第３のノードデバイスにより送信されたメッセージを受信し、前記第２の時間領域リソースで前記中継ノードデバイスにメッセージを送信し、前記第３のノードデバイスが前記第２のノードデバイスの親ノードである
ことを特徴とする請求項３９に記載の中継ノードデバイス。
【請求項４１】
前記時間領域リソース情報が前記第１の時間領域リソースを含む場合、
前記通信ユニットは、
前記第１の時間領域リソースの以外の時間領域リソースにおいて前記第２のノードデバイスにより送信されたメッセージを受信するように構成される
ことを特徴とする請求項４０に記載の中継ノードデバイス。
【請求項４２】
前記時間領域リソース情報が前記第１の時間領域リソース、及び／又は、前記第２の時間領域リソースを含む場合、
前記通信ユニットは、
前記第２の時間領域リソースにおいて前記第２のノードデバイスにより送信されたメッセージを受信するように構成される
ことを特徴とする請求項４０に記載の中継ノードデバイス。
【請求項４３】
前記時間領域リソース情報が前記第１の時間領域リソース、及び／又は、前記第２の時間領域リソース、及び／又は、前記第１の時間領域リソースと前記第２の時間領域リソースと重複される領域を含む場合、
前記通信ユニットは、
第３の時間領域リソースにおいて前記第２のノードデバイスにより送信されたメッセージを優先的に受信するように構成され、
前記第３の時間領域リソースは、前記第２の時間領域リソースのうち、前記第１の時間領域リソースと前記第２の時間領域リソースと重複される領域の以外の時間領域リソースである
ことを特徴とする請求項４０に記載の中継ノードデバイス。
【請求項４４】
前記時間領域リソース情報が前記第１の時間領域リソース、及び／又は、前記第２の時間領域リソース、及び／又は、前記第１の時間領域リソースと前記第２の時間領域リソースと重複される領域、及び／又は、前記第１の時間領域リソースと前記第２の時間領域リソースと重複されない領域を含む場合、
前記通信ユニットは、
前記第２の時間領域リソースのうちの前記第１の時間領域リソースと前記第２の時間領域リソースと重複されない領域において前記第２のノードデバイスにより送信されたメッセージを優先的に受信するように構成される
ことを特徴とする請求項４０に記載の中継ノードデバイス。
【発明の詳細な説明】
【技術分野】
【０００１】
本願は、通信分野に関し、具体的に、中継ネットワークの二重調整方法及び中継ノードデバイスに関する。
【背景技術】
【０００２】
リリース（Ｒｅｌｅａｓｅ）１０では、固定ノードデバイス( ｄｏｎｏｒ Ｅｖｏｌｕｔｉｏｎａｌ Ｎｏｄｅ Ｂ、ｄｏｎｏｒ ｅＮＢ )及び中継ノードデバイス( ｒｅｌａｙ ｅＮＢ )は、上りリンク( Ｕｐｌｉｎｋ )及び下りリンク( Ｄｏｗｎｌｉｎｋ )の二重調整スケジューリングは、予め構成されたいくつかの固定サブフレーム(時間領域リソース)上でのみ、バックホールリンク( ｂａｃｋｈａｕｌ ｌｉｎｋ )通信を行い、第５世代移動通信技術の新規ラジオ( ５−Ｇｅｎｅｒａｔｉｏｎ Ｎｅｗ Ｒａｄｉｏ、５Ｇ ＮＲ )が ｂａｃｋｈａｕｌ ｌｉｎｋ通信に対する要求を満たすことができない。
【発明の概要】
【０００３】
本願の実施例は、中継ノードデバイスが動的に構成された第１の時間領域リソースに従って、その親ノードデバイスが送信したメッセージを受信し、動的に構成された第２の時間領域リソースがその子ノードデバイスにメッセージを送信することができ、それにより、５Ｇ ＮＲのｂａｃｋｈａｕｌ ｌｉｎｋ通信の要求を満たすことができる中継ネットワークの二重調整方法及び中継ノードデバイスを提供する。
【０００４】
第１の態様として、本願の実施例は、中継ネットワークの二重調整方法を提供し、
第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することを含み、ここで、
該構成情報が該第１の時間領域リソース及び／又は該第２の時間領域リソースを示し、該第２のノードデバイスが該第１のノードデバイスの親ノードであり、該第３のノードデバイスが該第１のノードデバイスの子ノードである。
【０００５】
そして、本願の実施例における中継ネットワークの二重調整方法において、第１のノードデバイスが動的構成情報に基づいて、第１の時間領域リソースにおいてその親ノードデバイスにより送信されたメッセージを受信し、第２の時間領域リソースにおいてその子ノードデバイスにメッセージを送信することで、５Ｇ ＮＲのｂａｃｋｈａｕｌ ｌｉｎｋ通信の要求を満たすことができる。
【０００６】
任意選択で、第１の態様の実現形態において、該第１の時間領域リソース及び／又は該第２の時間領域リソースが下り時間領域リソースである。
【０００７】
任意選択で、第１の態様の実現形態において、該第１の時間領域リソース及び／又は該第２の時間領域リソースが柔軟スロットリソースを含む。
【０００８】
任意選択で、第１の態様の実現形態において、該第１の時間領域リソースと該第２の時間領域リソースとは、互いに重複されない。
【０００９】
任意選択で、第１の態様の実現形態において、該第２の時間領域リソースが第３の時間領域リソースの一部又は全部であり、ここで、該第３の時間領域リソースが除第１の時間領域リソースの以外の下り時間領域リソースである。
【００１０】
そして、第１の時間領域リソースと第２の時間領域リソースとが互いに重複されないことで、第１のノードデバイスは、同時に、第１の時間領域リソースにおいてその親ノードデバイスにより送信されたメッセージを受信し、第２の時間領域リソースにおいてその子ノードデバイスにメッセージを送信することができる。
【００１１】
任意選択で、第１の態様の実現形態において、該第１の時間領域リソースと該第２の時間領域リソースとは、一部又は全部が重複される。
【００１２】
任意選択で、第１の態様の実現形態において、該第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
該第１のノードデバイスが該第１の時間領域リソースにおいて該第２のノードデバイスにより送信された該第１のメッセージを優先的に受信することを含む。
【００１３】
そして、第１の時間領域リソースと第２の時間領域リソースとは、一部又は全部が重複されてもよく、この時、第１のノードデバイスは、第１の時間領域リソースにおいてその親ノードデバイスにより送信されたメッセージを優先的に受信することで、リソースを優先的にスケジューリングしてメッセージ受信する。
【００１４】
任意選択で、第１の態様の実現形態において、該第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
該第１のノードデバイスが該第２の時間領域リソースのうちの該第１の時間領域リソースと重複されない領域において第３のノードデバイスに該第２のメッセージを優先的に送信することを含む。
【００１５】
そして、第１の時間領域リソースと第２の時間領域リソースとは、一部又は全部が重複されてもよく、この時、第１のノードデバイスは、第２の時間領域リソースのうちの第１の時間領域リソースと重複されない領域においてその子ノードデバイスにメッセージを優先的に送信することで、重複されない下り時間領域リソースを優先的にスケジューリングしてメッセージ送信することができる。
【００１６】
任意選択で、第１の態様の実現形態において、該第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
非連続受信（Ｄｉｓｃｏｎｔｉｎｕｏｕｓ Ｒｅｃｅｐｔｉｏｎ、ＤＲＸ）構成情報が該第１の時間領域リソースにおいて該第２のノードデバイスにより送信された該第１のメッセージを受信する必要がないことを示す場合、該第１のノードデバイスが該第２の時間領域リソースにおいて該第３のノードデバイスに該第２のメッセージを送信することを含み、ここで、該ＤＲＸ構成情報は、該第１のノードデバイスが非アクティブ化のタイマーの動作時間又は連続のタイマーの動作時間内にメッセージを受信し、非アクティブ化のタイマー又は連続のタイマーがタイムアウトした後にメッセージの受信を拒絶するように指示する。
【００１７】
任意選択で、第１の態様の実現形態において、該構成情報が第１の構成情報及び第２の構成情報を含み、該第１の構成情報が該第１の時間領域リソースを示し、該第２の構成情報が該第２の時間領域リソースを示す。
【００１８】
任意選択で、第１の態様の実現形態において、該第１のメッセージ及び／又は該第２のメッセージが下り参照信号又はシステムメッセージである場合、
該第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
該第１のノードデバイスが該第１の時間領域リソースのうちの該第２の時間領域リソースと重複されない領域において該第２のノードデバイスにより送信された該第１のメッセージを受信し、及び／又は、該第２の時間領域リソースのうちの該第１の時間領域リソースと重複されない領域において第３のノードデバイスに該第２のメッセージを送信することを含む。
【００１９】
そして、第１のノードデバイスは、第１の時間領域リソースのうちの第２の時間領域リソースと重複されない領域においてその親ノードデバイスにより送信された下り参照信号又はシステムメッセージを受信し、第２の時間領域リソースのうちの第１の時間領域リソースと重複されない領域においてその子ノードデバイスに下り参照信号又はシステムメッセージを送信することで、下り参照信号又はシステムメッセージの確実な伝送を保証することができる。
【００２０】
任意選択で、第１の態様の実現形態において、該方法は、さらに、
該第１のノードデバイスが該第１の時間領域リソース、及び／又は、該第２の時間領域リソース、及び／又は、該第１の時間領域リソースと該第２の時間領域リソースと重複される領域、及び／又は、該第１の時間領域リソースと該第２の時間領域リソースと重複されない領域を該第３のノードデバイスに送信することを含む。
【００２１】
そして、第１のノードデバイスがその子ノードデバイスに時間領域リソースを送信することで、その子ノードデバイスは、第１のノードデバイスにより送信されたメッセージを受信する時間領域リソースを決定することで、確実な伝送を保証することができる。
【００２２】
任意選択で、第１の態様の実現形態において、該第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
該第１のノードデバイスが構成情報及びＤＲＸ構成情報に基づいて、該第１の時間領域リソースにおいて該第２のノードデバイスにより送信された該第１のメッセージを受信し、該第２の時間領域リソースにおいて該第３のノードデバイスに該第２のメッセージを送信することを含み、ここで、
該第１のノードデバイスは、該第１の時間領域リソースの以外の下り時間領域リソースにおいて、該第１のノードデバイスが該第１のメッセージを受信することを示す該ＤＲＸ構成情報を無視し、該第１のメッセージの受信を拒絶し、
該ＤＲＸ構成情報は、該第１のノードデバイスが非アクティブ化のタイマーの動作時間又は連続のタイマーの動作時間内にメッセージを受信し、非アクティブ化のタイマー又は連続のタイマーがタイムアウトした後にメッセージの受信を拒絶するように指示する。
【００２３】
そして、第１のノードデバイスは、メッセージを受信する時、構成情報が示す時間領域リソースを優先にし、次に、ＤＲＸ構成情報を考えることで、構成情報とＤＲＸ構成情報とが競合した場合、この競合を解決することができる。
【００２４】
任意選択で、第１の態様の実現形態において、該第１のノードデバイスが該構成情報に基づいて、該第１の時間領域リソースにおいて該第２のノードデバイスにより送信された該第１のメッセージを受信し、該第２の時間領域リソースにおいて該第３のノードデバイスに該第２のメッセージを送信する前に、該方法は、さらに、
該第１のノードデバイスが第４のノードデバイスにより送信された該構成情報を受信することを含み、該第４のノードデバイスは、該第２のノードデバイス、アンカーノードデバイス、アクセスネットワークデバイス、又はコアネットワークデバイスである。
【００２５】
任意選択で、第１の態様の実現形態において、該第１のノードデバイスが第４のノードデバイスにより送信された該構成情報を受信することは、
該第１のノードデバイスは、該第４のノードデバイスにより無線リソース制御（Ｒａｄｉｏ Ｒｅｓｏｕｒｃｅ Ｃｏｎｔｒｏｌ、ＲＲＣ）、又は、メディアアクセス制御制御要素（Ｍｅｄｉａ Ａｃｃｅｓｓ Ｃｏｎｔｒｏｌ Ｃｏｎｔｒｏｌ Ｅｌｅｍｅｎｔ、ＭＡＣ ＣＥ）、又は、下り制御情報（Ｄｏｗｎｌｉｎｋ Ｃｏｎｔｒｏｌ Ｉｎｆｏｒｍａｔｉｏｎ、ＤＣＩ）を介して送信された該構成情報を受信することを含む。
【００２６】
任意選択で、第１の態様の実現形態において、該方法は、さらに、
該第１のノードデバイスが第５の時間領域リソースにおいて第５のノードデバイスと端末間（Ｄｅｖｉｃｅ ｔｏ Ｄｅｖｉｃｅ、Ｄ２Ｄ）通信を行うことを含み、ここで、
該第５の時間領域リソースが第６のノードデバイスにより構成され、該第６のノードデバイスが該第２のノードデバイス、アンカーノードデバイス、アクセスネットワークデバイス、又はコアネットワークデバイスである。
【００２７】
第２の態様として、本願の実施例は中継ネットワークの二重調整方法を提供し、
第１のノードデバイスが第２のノードデバイスにより送信された時間領域リソース情報を受信することと、
該第１のノードデバイスが該時間領域リソース情報に基づいて、該第２のノードデバイスにより送信されたメッセージを受信することとを含み、
ここで、該第２のノードデバイスが該第１のノードデバイスの親ノードである。
【００２８】
そして、本願の実施例における中継ネットワークの二重調整方法では、第１のノードデバイスは、その親ノードデバイスにより送信された時間領域リソース情報を受信することで、その親ノードデバイスにより送信されたメッセージを受信する時間領域リソースを決定し、確実な伝送を保証することができる。
【００２９】
任意選択で、第２の態様の実現形態において、該時間領域リソース情報は、第１の時間領域リソース、及び／又は、第２の時間領域リソース、及び／又は、該第１の時間領域リソースと該第２の時間領域リソースと重複される領域、及び／又は、該第１の時間領域リソース該第２の時間領域リソースと重複されない領域を含み、ここで、
該第２のノードデバイスが該第１の時間領域リソースで第３のノードデバイスにより送信されたメッセージを受信し、該第２の時間領域リソースで該第１のノードデバイスにメッセージを送信し、該第３のノードデバイスが該第２のノードデバイスの親ノードである。
【００３０】
任意選択で、第２の態様の実現形態において、該時間領域リソース情報が該第１の時間領域リソースを含む場合、
該第１のノードデバイスが該時間領域リソース情報に基づいて、該第２のノードデバイスにより送信されたメッセージを受信することは、
該第１のノードデバイスが該第１の時間領域リソースの以外の時間領域リソースにおいて該第２のノードデバイスにより送信されたメッセージを受信することを含む。
【００３１】
任意選択で、第２の態様の実現形態において、該時間領域リソース情報が該第１の時間領域リソース、及び／又は、該第２の時間領域リソースを含む場合、
該第１のノードデバイスが該時間領域リソース情報に基づいて、該第２のノードデバイスにより送信されたメッセージを受信することは、
該第１のノードデバイスが該第２の時間領域リソースにおいて該第２のノードデバイスにより送信されたメッセージを受信することを含む。
【００３２】
任意選択で、第２の態様の実現形態において、該時間領域リソース情報が該第１の時間領域リソース、及び／又は、該第２の時間領域リソース、及び／又は、該第１の時間領域リソースと該第２の時間領域リソースと重複される領域を含む場合、
該第１のノードデバイスが該時間領域リソース情報に基づいて、該第２のノードデバイスにより送信されたメッセージを受信することは、
該第１のノードデバイスが第３の時間領域リソースにおいて該第２のノードデバイスにより送信されたメッセージを優先的に受信することを含み、ここで、該第３の時間領域リソースは、該第２の時間領域リソースのうちの、該第１の時間領域リソースと該第２の時間領域リソースと重複される領域の以外の時間領域リソースである。
【００３３】
任意選択で、第２の態様の実現形態において、該時間領域リソース情報が該第１の時間領域リソース、及び／又は、該第２の時間領域リソース、及び／又は、該第１の時間領域リソースと該第２の時間領域リソースと重複される領域、及び／又は、該第１の時間領域リソース該第２の時間領域リソースと重複されない領域を含む場合、
該第１のノードデバイスが該時間領域リソース情報に基づいて、該第２のノードデバイスにより送信されたメッセージを受信することは、
該第１のノードデバイスが、該第２の時間領域リソースのうちの該第１の時間領域リソースと該第２の時間領域リソースと重複されない領域において該第２のノードデバイスにより送信されたメッセージを優先的に受信することを含む。
【００３４】
第３の態様として、本願の実施例は、第１の態様または第１の態様の任意の実施態様における方法のモジュールまたはユニットを実行することができる中継ノードデバイスを提供する。
【００３５】
第４の態様として、本願の実施例は、第２の態様または第２の態様の任意の実施態様における方法のモジュールまたはユニットを実行することができる中継ノードデバイスを提供する。
【００３６】
第５の態様は、プロセッサと、メモリと、通信インターフェースとを含む中継ノードデバイスを提供する。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第１の態様または第１の態様の任意の可能な実装形態における方法を実行させる。
【００３７】
第６の態様は、プロセッサと、メモリと、通信インターフェースとを含む中継ノードデバイスを提供する。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第２の態様または第２の態様の任意の可能な実装形態における方法を実行させる。
【００３８】
第７の態様は、コンピュータに、上述の態様に記載の方法を実行するための命令を指示するためのプログラムコードを記憶したコンピュータ記憶媒体を提供する。
【００３９】
第８の態様は、命令を備えるコンピュータプログラム製品を提供し、コンピュータ上で実行されると、コンピュータに、上記の態様に記載の方法を実行させる。
【図面の簡単な説明】
【００４０】
【図１】本願の実施例における応用シーンの模式図である。
【図２】本願の実施例における中継ネットワークの二重調整方法のフローチャートである。
【図３】本願の実施例における２つの時間領域リソースが互いに重複されないことを示す模式図である。
【図４】本願の実施例における２つの時間領域リソースが互いに重複されることを示す模式図である。
【図５】本願の他の実施例における中継ネットワークの二重調整方法のフローチャートである。
【図６】本願の実施例における中継ノードデバイスのブロック図である。
【図７】本願の他の実施例における中継ノードデバイスのブロック図である。
【図８】本願の実施例におけるシステムチップの構成図である。
【図９】本願の他の実施例における中継ネットワークの二重調整デバイスのブロック図である。
【発明を実施するための形態】
【００４１】
以下、本願の実施例における技術的解決策を、本願の実施例における添付図面と併せて、明確かつ完全に説明する。
【００４２】
本願の実施例の技術的解決策は、５Ｇ ＮＲ通信システムに適用できる。
【００４３】
図１は、本願の実施例の応用シーンの模式図である。
【００４４】
図１に示すように、通信システム１００は、コアネットワークデバイス１１０と、アンカーノードデバイス１２０と、中継ノードデバイス１３０-１７０と、端末デバイス１８０-１９０とを含みうる。この通信システム１００では、コアネットワークデバイス１１０を中心としたトポロジーネットワークが確立できる。コアネットワークデバイス１１０は、アンカーノードデバイス１２０、中継ノードデバイス１３０、中継ノードデバイス１４０、中継ノードデバイス１５０を介して端末デバイス１８０との通信接続を確立することができ、コアネットワークデバイス１１０は、アンカーノードデバイス１２０、中継ノードデバイス１６０、中継ノードデバイス１７０を介して端末デバイス１９０との通信接続を確立することができる。
【００４５】
本願の実施例は、通信システム１００を例として説明するが、本願の実施例は、これに限定されないことを理解すべきである。つまり、本願の実施例における中継ノードデバイスの数と端末デバイスの数は、実際のニーズに応じて決定すればよい。
【００４６】
ここで、コアネットワークデバイス１１０は、アクセスおよびモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )、さらにたとえばセッション管理機能( Ｓｅｓｓｉｏｎ Ｍａｎａｇｅｍｅｎｔ Ｆｕｎｃｔｉｏｎ、ＳＭＦ )、さらにたとえばユーザプレーン機能( Ｕｓｅｒ Ｐｌａｎｅ Ｆｕｎｃｔｉｏｎ、ＵＰＦ )など、５Ｇコアネットワーク( ５Ｇ Ｃｏｒｅ、５ ＧＣ )デバイスであり得る。
【００４７】
アンカーノードデバイス１２０は、コアネットワークデバイス１１０と有線で直接通信する基地局またはアクセスネットワークデバイスであり得る。アンカーノードデバイス１２０は、特定の地理的領域に通信カバレッジを提供し、そのカバレッジエリア内に位置する中継ノードデバイス又は端末デバイス(例えば、ＵＥ )と通信する。任意選択で、このアンカーノードデバイス１２０は、新規ラジオ( Ｎｅｗ Ｒａｄｉｏ、ＮＲ )システムの基地局( ｇＮＢ )であってもよく、またはクラウド無線アクセスネットワーク( Ｃｌｏｕｄ Ｒａｄｉｏ Ａｃｃｅｓｓ Ｎｅｔｗｏｒｋ、ＣＲＡＮ )の無線コントローラであってもよく、または中継局、アクセスポイント、車載装置、ウェアラブル装置、または将来進化するパブリック地上波モバイルネットワーク( Ｐｕｂｌｉｃ Ｌａｎｄ Ｍｏｂｉｌｅ Ｎｅｔｗｏｒｋ、ＰＬＭＮ )のネットワーク装置などであってもよい。
【００４８】
中継ノードデバイス( １３０-１７０ )は、アンカーノードデバイスと端末デバイスとの間のデータ又はシグナリング転送を可能にし得る。例えば、中継ノードデバイス１３０は、アンカーノードデバイス１２０と中継ノードデバイス１４０ (端末デバイス１８０ )との間のデータ又はシグナリングを転送するために、アンカーノードデバイス１２０と中継ノードデバイス１４０とを接続する。中継ノードデバイスは、特定の地理的エリアに通信カバレッジを提供し、そのカバレッジエリア内に位置する他の中継ノードデバイスまたは端末デバイスと通信することができる。任意選択で、この中継ノードデバイスは、ＮＲシステムにおける基地局( ｇＮＢ )、または中継局、アクセスポイント、車載装置、ウェアラブル装置、または将来開発されるＰＬＭＮにおけるネットワーク装置などであり得る。
【００４９】
任意選択で、中継ノードデバイスとアンカーノードデバイス１２０との間の通信接続は、ホップ数によって表され、例えば、中継ノードデバイス１３０とアンカーノードデバイス１２０との間のホップ数が１であり、中継ノードデバイス１５０とアンカーノードデバイス１２０との間のホップ数が３である。
【００５０】
任意選択で、中継ノードデバイスの直上ホップの装置が親ノードとなり、直下のホップが子ノードとなる。例えば、中継ノードデバイス１４０の親ノードは中継ノードデバイス１３０であり、中継ノードデバイス１４０の子ノードは中継ノードデバイス１５０である。
【００５１】
任意選択で、アンカーノードデバイス１２０との間のホップ数が少ないほど、優先度が高くなる。例えば、中継ノードデバイス１３０の優先度は中継ノードデバイス１４０よりも高い。また、例えば、中継ノードデバイス１３０の優先度は、中継ノードデバイス１６０の優先度と同一である。
【００５２】
端末デバイス( １８０-１９０ )は、移動型であってもよいし、固定型であってもよい。任意選択で、端末機器は、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇ ＮＲネットワークにおける端末デバイス、または将来開発されるＰＬＭＮにおける端末デバイスなどであり得る。
【００５３】
図１は、１つのコアネットワークデバイス、１つのアンカーノードデバイス、５つの中継ノードデバイス、及び２つの端末デバイスを例示的に示したが、無線通信システム１００は、複数のアンカーノードデバイス及び他の数の中継ノードデバイスを含んでもよく、各中継ノードデバイスのカバレッジ内に他の数の端末デバイスを含んでもよく、本願の実施例はこれに限定されない。
【００５４】
任意選択で、無線通信システム１００は、セッション管理機能( Ｓｅｓｓｉｏｎ Ｍａｎａｇｅｍｅｎｔ Ｆｕｎｃｔｉｏｎ、ＳＭＦ )、統合データ管理( Ｕｎｉｆｉｅｄ Ｄａｔａ Ｍａｎａｇｅｍｅｎｔ、ＵＤＭ )、認証サーバ機能( Ａｕｔｈｅｎｔｉｃａｔｉｏｎ Ｓｅｒｖｅｒ Ｆｕｎｃｔｉｏｎ、ＡＵＳＦ )などの他のネットワークエンティティをさらに含んでもよく、本願の実施例はこれに限定されない。
【００５５】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００５６】
図２は、本願の実施例による中継ネットワークの二重調整方法２００の概略的なフローチャートである。方法２００は、任意選択で、図１に示されるシステムに適用され得るが、これに限定されない。方法２００は、以下のコンテンツの少なくとも一部を含む。
【００５７】
２１０において、第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信し、ここで、該構成情報が該第１の時間領域リソース及び／又は該第２の時間領域リソースを示し、該第２のノードデバイスが該第１のノードデバイスの親ノードであり、該第３のノードデバイスが該第１のノードデバイスの子ノードである。
【００５８】
具体的には、該第１のメッセージは、下りデータでもよいし、ページングメッセージでもよいし、システムメッセージでもよいし、下り参照信号でもよいし、何らかの制御シグナリングメッセージでもよいが、本願の実施例はこれに限定されない。
【００５９】
具体的には、該第２のメッセージは、下りデータでもよいし、ページングメッセージでもよいし、システムメッセージでもよいし、下り参照信号でもよいし、何らかの制御シグナリングメッセージでもよいが、本願の実施例はこれに限定されない。
【００６０】
第１のノードデバイスは、同時に、第１の時間領域リソースにおいて第２のノードデバイスにより送信された第１のメッセージを受信し、第２の時間領域リソースにおいて第３のノードデバイスに第２のメッセージを送信することができる。
【００６１】
該第１の時間領域リソース及び／又は該第２の時間領域リソースが下り時間領域リソースである。
【００６２】
任意選択で、該第１の時間領域リソース及び／又は該第２の時間領域リソースが柔軟スロットリソースを含む（ｆｌｅｘｉｂｌｅ ｓｌｏｔ）。
【００６３】
任意選択で、該第１の時間領域リソースと該第２の時間領域リソースとは、互いに重複されない。
【００６４】
任意選択で、該第２の時間領域リソースが第３の時間領域リソースの一部又は全部であり、ここで、該第３の時間領域リソースが除第１の時間領域リソースの以外の下り時間領域リソースである。
【００６５】
例えば、図３に示すように、第１の時間領域リソースと第２の時間領域リソースとが、互いに重複されなく、第２の時間領域リソースが第３の時間領域リソースの一部であり、第１の時間領域リソースと第３の時間領域リソースとが全ての下り時間領域リソースを構成する。
【００６６】
そして、第１の時間領域リソースと第２の時間領域リソースとが互いに重複されないため、第１のノードデバイスは、同時に、第１の時間領域リソースにおいてその親ノードデバイスにより送信されたメッセージを受信し、第２の時間領域リソースにおいてその子ノードデバイスにメッセージを送信することができる。
【００６７】
任意選択で、該第１の時間領域リソースと該第２の時間領域リソースとは、一部又は全部が重複される。
【００６８】
例えば、図４に示すように、該第１の時間領域リソースと該第２の時間領域リソースとは、一部が重複される。
【００６９】
具体的に、該第１の時間領域リソースと該第２の時間領域リソースとは、一部又は全部が重複される場合、該第１のノードデバイスが該第１の時間領域リソースにおいて該第２のノードデバイスにより送信された該第１のメッセージを優先的に受信する。
【００７０】
そして、第１の時間領域リソースと第２の時間領域リソースとは、一部又は全部が重複されてもよく、この時、第１のノードデバイスは、第１の時間領域リソースにおいてその親ノードデバイスにより送信されたメッセージを優先的に受信することで、リソースを優先的にスケジューリングしてメッセージ受信を行うことができる。
【００７１】
任意選択で、該第１のノードデバイスが該第１の時間領域リソースにおいて該第２のノードデバイスにより送信された該第１のメッセージを受信する時に、該第３のノードデバイスが接続状態にあり、例えば、該第３のノードデバイスは、該第１のノードデバイスの以外の親ノードにより送信されたメッセージを受信する。
【００７２】
具体的に、該第１の時間領域リソースと該第２の時間領域リソースとは、一部又は全部が重複される場合、該第１のノードデバイスが該第２の時間領域リソースのうちの該第１の時間領域リソースと重複されない領域において第３のノードデバイスに該第２のメッセージを優先的に送信する。
【００７３】
そして、第１の時間領域リソースと第２の時間領域リソースとが一部又は全部が重複されてもよく、この時、第１のノードデバイスは、第２の時間領域リソースのうちの第１の時間領域リソースと重複されない領域において、その子ノードデバイスにメッセージを優先的に送信することで、重複されない領域の下り時間領域リソースを優先的にスケジューリングしてメッセージ送信を行うことができる。
【００７４】
任意選択で、該ＤＲＸ構成情報が該第１の時間領域リソースにおいて該第２のノードデバイスにより送信された該第１のメッセージを受信する必要がないことを示す場合、該第１のノードデバイスが該第２の時間領域リソースにおいて該第３のノードデバイスに該第２のメッセージを送信する。
【００７５】
任意選択で、該第１の時間領域リソースと該第２の時間領域リソースとは、一部又は全部が重複される場合、該構成情報が第１の構成情報及び第２の構成情報を含み、該第１の構成情報が該第１の時間領域リソースを示し、該第２の構成情報が該第２の時間領域リソースを示す。
【００７６】
任意選択で、該第１の時間領域リソースと該第２の時間領域リソースとは、一部又は全部が重複され、該第１のメッセージ及び／又は該第２のメッセージが下り参照信号又はシステムメッセージである場合、該第１のノードデバイスが該第１の時間領域リソースのうちの該第２の時間領域リソースと重複されない領域において該第２のノードデバイスにより送信された該第１のメッセージを受信し、及び／又は、該第２の時間領域リソースのうちの該第１の時間領域リソースと重複されない領域において第３のノードデバイスに該第２のメッセージを送信する。
【００７７】
そして、第１のノードデバイスは、第１の時間領域リソースのうちの第２の時間領域リソースと重複されない領域においてその親ノードデバイスにより送信された下り参照信号又はシステムメッセージを受信し、第２の時間領域リソースのうちの第１の時間領域リソースと重複されない領域においてその子ノードデバイスに下り参照信号又はシステムメッセージを送信することで、下り参照信号又はシステムメッセージの確実な伝送を保証することができる。
【００７８】
任意選択で、該第１のノードデバイスが該第１の時間領域リソース、及び／又は、該第２の時間領域リソース、及び／又は、該第１の時間領域リソースと該第２の時間領域リソースと重複される領域、及び／又は、該第１の時間領域リソース該第２の時間領域リソースと重複されない領域を該第３のノードデバイスに送信する。
【００７９】
該第１のノードデバイスが該第３のノードデバイスに該第１の時間領域リソースを送信する場合、該第３のノードデバイスは、該第１の時間領域リソースの以外の時間領域リソースにおいて該第１のノードデバイスにより送信されたメッセージを受信する。
【００８０】
該第１のノードデバイスが該第３のノードデバイスに該第１の時間領域リソース、及び／又は、該第２の時間領域リソースを送信する場合、該第３のノードデバイスは、該第２の時間領域リソースにおいて該第１のノードデバイスにより送信されたメッセージを受信する。
【００８１】
該第１のノードデバイスが該第１の時間領域リソース、及び／又は、該第２の時間領域リソース、及び／又は、該第１の時間領域リソースと該第２の時間領域リソースと重複される領域を該第３のノードデバイスに送信する場合、該第３のノードデバイスは、第３の時間領域リソースにおいて該第１のノードデバイスにより送信されたメッセージを優先的に受信し、ここで、該第３の時間領域リソースは、該第２の時間領域リソースのうちの、該第１の時間領域リソースと該第２の時間領域リソースと重複される領域の以外の時間領域リソースである。
【００８２】
該第１のノードデバイスが該第１の時間領域リソース、及び／又は、該第２の時間領域リソース、及び／又は、該第１の時間領域リソースと該第２の時間領域リソースと重複される領域、及び／又は、該第１の時間領域リソース該第２の時間領域リソースと重複されない領域を該第３のノードデバイスに送信する場合、該第３のノードデバイスは、該第２の時間領域リソースのうちの該第１の時間領域リソースと重複されない領域において、該第１のノードデバイスにより送信されたメッセージを優先的に受信する。
【００８３】
そして、第１のノードデバイスがその子ノードデバイスに時間領域リソースを送信することで、その子ノードデバイスは、第１のノードデバイスにより送信されたメッセージを受信する時間領域リソースを決定し、さらに、確実な伝送を保証することができる。
【００８４】
任意選択で、該第１のノードデバイスが構成情報及びＤＲＸ構成情報に基づいて、該第１の時間領域リソースにおいて該第２のノードデバイスにより送信された該第１のメッセージを受信し、該第２の時間領域リソースにおいて該第３のノードデバイスに該第２のメッセージを送信する。
【００８５】
該第１のノードデバイスは、該第１の時間領域リソースの以外の下り時間領域リソースにおいて、該第１のノードデバイスが該第１のメッセージを受信することを示す該ＤＲＸ構成情報を無視し、該第１のメッセージの受信を拒絶する。
【００８６】
該ＤＲＸ構成情報は、該第１のノードデバイスが非アクティブ化のタイマー（ｉｎａｔｉｖｉｔｙｔｉｍｅｒ）の動作期間内又は連続のタイマー（ｏｎｄｕｒａｔｉｏｎｔｉｍｅｒ）の動作期間内にメッセージを受信し、非アクティブ化のタイマー又は連続のタイマーがタイムアウトした後にメッセージの受信を拒絶するように指示する。
【００８７】
具体的に、該第１のノードデバイスが該ＤＲＸ構成情報に基づいて該第１の時間領域リソースにおいて該第２のノードデバイスの該第１のメッセージを受信する必要があると決定し、且つ該構成情報は、該第１のメッセージに対する時間領域リソースがないことを示す場合、該第１のノードデバイスは、該第１のメッセージの受信を拒絶する。
【００８８】
任意選択で、該構成情報の優先度が該ＤＲＸ構成情報よりも大きい。
【００８９】
そして、第１のノードデバイスは、メッセージを受信する時、構成情報が示す時間領域リソースを優先的にし、次にＤＲＸ構成情報を考えることで、構成情報とＤＲＸ構成情報とが競合した場合、この競合を解決することができる。
【００９０】
任意選択で、該第１のノードデバイスが第４のノードデバイスにより送信された該構成情報を受信することを含み、該第４のノードデバイスは、該第２のノードデバイス、アンカーノードデバイス、アクセスネットワークデバイス、又はコアネットワークデバイスである。
【００９１】
任意選択で、該第１のノードデバイスは、該第４のノードデバイスがＲＲＣ、ＭＡＣ ＣＥ、又はＤＣＩを介して送信した該構成情報を受信する。
【００９２】
任意選択で、該方法２００は、さらに、
該第１のノードデバイスが第５の時間領域リソースにおいて第５のノードデバイスとＤ２Ｄ通信を行うことを含み、ここで、該第５の時間領域リソースが第６のノードデバイスにより構成され、該第６のノードデバイスが該第２のノードデバイス、アンカーノードデバイス、アクセスネットワークデバイス、又はコアネットワークデバイスである。
【００９３】
第１のノードデバイスと第５のノードデバイスとは、同じ優先度のノードデバイスである。
【００９４】
任意選択で、該第５の時間領域リソースは、サイドリンク時間領域リソースであってもよい。
【００９５】
そして、本願の実施例における中継ネットワークの二重調整方法では、第１のノードデバイスは、動的構成情報に基づいて、第１の時間領域リソースにおいてその親ノードデバイスにより送信されたメッセージを受信し、第２の時間領域リソースにおいてその子ノードデバイスにメッセージを送信することで、５Ｇ ＮＲがｂａｃｋｈａｕｌ ｌｉｎｋ通信に対する要求を満たすことができる。
【００９６】
図５は、本願の実施例による中継ネットワークの二重調整方法３００の概略的なフローチャートである。方法３００は、任意選択で、図１に示されるシステムに適用され得るが、これに限定されない。方法３００は、以下のコンテンツの少なくとも一部を含む。
【００９７】
３１０において、第１のノードデバイスが第２のノードデバイスにより送信された時間領域リソース情報を受信し、ここで、該第２のノードデバイスが該第１のノードデバイスの親ノードである。
【００９８】
３２０において、該第１のノードデバイスが該時間領域リソース情報に基づいて、該第２のノードデバイスにより送信されたメッセージを受信する。
【００９９】
任意選択で、該時間領域リソース情報が第１の時間領域リソース、及び／又は、第２の時間領域リソース、及び／又は、該第１の時間領域リソースと該第２の時間領域リソースと重複される領域、及び／又は、該第１の時間領域リソース該第２の時間領域リソースと重複されない領域を含み、ここで、
該第２のノードデバイスが該第１の時間領域リソースで第３のノードデバイスにより送信されたメッセージを受信し、該第２の時間領域リソースで該第１のノードデバイスにメッセージを送信し、該第３のノードデバイスが該第２のノードデバイスの親ノードである。
【０１００】
任意選択で、該時間領域リソース情報が該第１の時間領域リソースを含む場合、
該第１のノードデバイスが該時間領域リソース情報に基づいて、該第２のノードデバイスにより送信されたメッセージを受信することは、
該第１のノードデバイスが該第１の時間領域リソースの以外の時間領域リソースにおいて該第２のノードデバイスにより送信されたメッセージを受信することを含む。
【０１０１】
任意選択で、該時間領域リソース情報が該第１の時間領域リソース、及び／又は、該第２の時間領域リソースを含む場合、
該第１のノードデバイスが該時間領域リソース情報に基づいて、該第２のノードデバイスにより送信されたメッセージを受信することは、
該第１のノードデバイスが該第２の時間領域リソースにおいて該第２のノードデバイスにより送信されたメッセージを受信することを含む。
【０１０２】
任意選択で、該時間領域リソース情報が該第１の時間領域リソース、及び／又は、該第２の時間領域リソース、及び／又は、該第１の時間領域リソースと該第２の時間領域リソースと重複される領域を含む場合、
該第１のノードデバイスが該時間領域リソース情報に基づいて、該第２のノードデバイスにより送信されたメッセージを受信することは、
該第１のノードデバイスが第３の時間領域リソースにおいて該第２のノードデバイスにより送信されたメッセージを優先的に受信することを含み、ここで、該第３の時間領域リソースは、該第２の時間領域リソースのうちの、該第１の時間領域リソースと該第２の時間領域リソースと重複される領域の以外の時間領域リソースである。
【０１０３】
任意選択で、該時間領域リソース情報が該第１の時間領域リソース、及び／又は、該第２の時間領域リソース、及び／又は、該第１の時間領域リソースと該第２の時間領域リソースと重複される領域、及び／又は、該第１の時間領域リソース該第２の時間領域リソースと重複されない領域を含む場合、
該第１のノードデバイスが該時間領域リソース情報に基づいて、該第２のノードデバイスにより送信されたメッセージを受信することは、
該第１のノードデバイスが、該第２の時間領域リソースのうちの該第１の時間領域リソースと該第２の時間領域リソースと重複されない領域において該第２のノードデバイスにより送信されたメッセージを優先的に受信することを含む。
【０１０４】
なお、中継ネットワークの二重調整方法３００におけるステップは、中継ネットワークの二重調整方法２００における対応するステップの関連説明を参照してもよく、簡潔のためにここでは詳しい説明を省略する。
【０１０５】
そして、本願の実施例における中継ネットワークの二重調整方法では、第１のノードデバイスは、その親ノードデバイスにより送信された時間領域リソース情報を受信し、その親ノードデバイスにより送信されたメッセージを受信する時間領域リソースを決定することで、確実な伝送を保証することができる。
【０１０６】
図６は本願の実施例における中継ノードデバイス４００のブロック図である。図６に示すように、該中継ノードデバイス４００が通信ユニット４１０を含み、ここで、該通信ユニット４１０は、構成情報に基づいて、第１の時間領域リソースにおいて第２のノードデバイスにより送信された第１のメッセージを受信し、第２の時間領域リソースにおいて第３のノードデバイスに第２のメッセージを送信するように構成され、ここで、前記構成情報が前記第１の時間領域リソース及び／又は前記第２の時間領域リソースを示し、前記第２のノードデバイスが前記中継ノードデバイスの親ノードであり、前記第３のノードデバイスが前記中継ノードデバイスの子ノードである。
【０１０７】
なお、この中継ノードデバイス４００は、方法２００における第１のノードデバイスに対応することができ、方法２００における第１のノードデバイスにより実施される対応する動作を実施することができ、簡潔のためにここでは詳しい説明を省略する
図７は本願の実施例における中継ノードデバイス５００のブロック図である。図７に示すように、該中継ノードデバイス５００が通信ユニット５１０を含み、ここで、該通信ユニット５１０は、第２のノードデバイスにより送信された時間領域リソース情報を受信するように構成され、ここで、前記第２のノードデバイスが前記中継ノードデバイスの親ノードであり、前記通信ユニット５１０は、さらに、前記時間領域リソース情報に基づいて、前記第２のノードデバイスにより送信されたメッセージを受信するように構成される。
【０１０８】
なお、この中継ノードデバイス５００は、方法３００における第１のノードデバイスに対応することができ、方法３００における第１のノードデバイスにより実施される対応する動作は、簡潔のためにここで説明を省略する。
【０１０９】
図８は、本実施例のシステムチップ６００の概略構成図である。図８のシステムチップ６００は、入力インターフェース６０１、出力インターフェース６０２、メモリ６０４内のコードを実行するプロセッサ６０３、及びメモリ６０４を含み、これらの間を内部通信接続線によって接続することができる。
【０１１０】
任意選択で、コードが実行されると、プロセッサ６０３は、方法２００のうちの第１のノードデバイスによって実行される方法を実施する。簡潔にするために、ここで説明を省略する。
【０１１１】
任意選択で、コードが実行されると、プロセッサ６０３は、方法３００のうちの第１のノードデバイスによって実行される方法を実施する。簡潔にするために、ここで説明を省略する。
【０１１２】
図９は、本願の実施例による通信デバイス７００の概略ブロック図である。図９に示すように、通信デバイス７００は、プロセッサ７１０と、メモリ７２０とを有する。メモリ７２０は、プロセッサ７１０がメモリ７２０に記憶されたプログラムコードを実行することができるプログラムコードを記憶することができる。
【０１１３】
任意選択で、図９に示すように、通信デバイス７００は、プロセッサ７１０が外部と通信するように制御することができる送受信機７３０を含んでもよい。
【０１１４】
任意選択で、プロセッサ７１０は、メモリ７２０に記憶されたプログラムコードを呼び出し、方法２００における第１のノードデバイスの対応する動作を実行してもよく、簡潔にするために、ここでは詳しい説明を省略する。
【０１１５】
任意選択で、プロセッサ７１０は、メモリ７２０に記憶されたプログラムコードを呼び出し、方法３００における第１のノードデバイスの対応する動作を実行してもよく、簡潔にするために、ここでは詳しい説明を省略する。
【０１１６】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１１７】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１１８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１１９】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１２０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１２１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１２２】
また、本願の各実施例における各機能部は、１つの処理部に集積されてもよいし、各部は、物理的に別個に存在してもよいし、２つ以上の部が１つの部に集積されてもよい。
【０１２３】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２４】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲の保護範囲に準ずるものとする。
【図１】
2021515432.tif 000003
【図２】
2021515432.tif 000004
【図３】
2021515432.tif 000005
【図４】
2021515432.tif 000006
【図５】
2021515432.tif 000007
【図６】
2021515432.tif 000008
【図７】
2021515432.tif 000009
【図８】
2021515432.tif 000010
【図９】
2021515432.tif 000011
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することを含み、
前記構成情報が前記第１の時間領域リソース及び／又は前記第２の時間領域リソースを示し、前記第２のノードデバイスが前記第１のノードデバイスの親ノードであり、前記第３のノードデバイスが前記第１のノードデバイスの子ノードである
ことを特徴とする中継ネットワークの二重調整方法。
【請求項２】
前記第１の時間領域リソース及び／又は前記第２の時間領域リソースが下り時間領域リソースである
ことを特徴とする請求項１に記載の中継ネットワークの二重調整方法。
【請求項３】
前記第１の時間領域リソース及び／又は前記第２の時間領域リソースが柔軟スロットリソースを含む
ことを特徴とする請求項１又は２に記載の中継ネットワークの二重調整方法。
【請求項４】
前記第１の時間領域リソースと前記第２の時間領域リソースとは、互いに重複されない
ことを特徴とする請求項１〜３のいずれか１項に記載の中継ネットワークの二重調整方法。
【請求項５】
前記第２の時間領域リソースが第３の時間領域リソースの一部又は全部であり、
前記第３の時間領域リソースが前記第１の時間領域リソースの以外の下り時間領域リソースである
ことを特徴とする請求項４に記載の中継ネットワークの二重調整方法。
【請求項６】
前記第１の時間領域リソースと前記第２の時間領域リソースとは、一部又は全部が重複される
ことを特徴とする請求項１〜３のいずれか１項に記載の中継ネットワークの二重調整方法。
【請求項７】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
前記第１のノードデバイスが前記第１の時間領域リソースにおいて前記第２のノードデバイスにより送信された前記第１のメッセージを優先的に受信することを含む
ことを特徴とする請求項６に記載の中継ネットワークの二重調整方法。
【請求項８】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
前記第１のノードデバイスが前記第２の時間領域リソースのうちの前記第１の時間領域リソースと重複されない領域において第３のノードデバイスに前記第２のメッセージを優先的に送信することを含む
ことを特徴とする請求項６に記載の中継ネットワークの二重調整方法。
【請求項９】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
非連続受信ＤＲＸ構成情報が前記第１の時間領域リソースにおいて前記第２のノードデバイスにより送信された前記第１のメッセージを受信する必要がないことを示す場合、前記第１のノードデバイスが前記第２の時間領域リソースにおいて前記第３のノードデバイスに前記第２のメッセージを送信することを含み、
前記ＤＲＸ構成情報は、前記第１のノードデバイが非アクティブ化のタイマーの動作時間内又は連続タイマーの動作時間内にメッセージを受信し、非アクティブ化のタイマー又は連続タイマーがタイムアウトした後にメッセージの受信を拒絶するように指示する
ことを特徴とする請求項６〜８のいずれか１項に記載の中継ネットワークの二重調整方法。
【請求項１０】
前記第１のノードデバイスが構成情報に基づいて、第１の時間領域リソースにおいて第２のノードデバイスにより送信された第１のメッセージを受信し、第２の時間領域リソースにおいて第３のノードデバイスに第２のメッセージを送信することは、
前記第１のノードデバイスが前記構成情報及びＤＲＸ構成情報に基づいて、前記第１の時間領域リソースにおいて前記第２のノードデバイスにより送信された前記第１のメッセージを受信し、前記第２の時間領域リソースにおいて前記第３のノードデバイスに前記第２のメッセージを送信することを含み、
前記第１のノードデバイスは、前記第１の時間領域リソースの以外の下り時間領域リソースにおいて、前記第１のノードデバイスが前記第１のメッセージを受信することを示す前記ＤＲＸ構成情報を無視し、前記第１のメッセージの受信を拒絶し、
前記ＤＲＸ構成情報は、前記第１のノードデバイが非アクティブ化のタイマーの動作時間内又は連続タイマーの動作時間内にメッセージを受信し、非アクティブ化のタイマー又は連続タイマーがタイムアウトした後にメッセージの受信を拒絶するように指示する
ことを特徴とする請求項１〜９のいずれか１項に記載の中継ネットワークの二重調整方法。
【請求項１１】
前記第１のノードデバイスが前記構成情報に基づいて、前記第１の時間領域リソースにおいて前記第２のノードデバイスにより送信された前記第１のメッセージを受信し、前記第２の時間領域リソースにおいて前記第３のノードデバイスに前記第２のメッセージを送信する前に、前記方法は、さらに、
前記第１のノードデバイスが第４のノードデバイスにより送信された前記構成情報を受信することを含み、前記第４のノードデバイスは、前記第２のノードデバイス、アンカーノードデバイス、アクセスネットワークデバイス、又はコアネットワークデバイスである
ことを特徴とする請求項１〜１０のいずれか１項に記載の中継ネットワークの二重調整方法。
【請求項１２】
前記第１のノードデバイスが第４のノードデバイスにより送信された前記構成情報を受信することは、
前記第１のノードデバイスが、前記第４のノードデバイスにより無線リソース制御ＲＲＣ、メディアアクセス制御制御要素ＭＡＣ ＣＥ、又は下り制御情報ＤＣＩを介して送信された前記構成情報を受信することを含む
ことを特徴とする請求項１１に記載の中継ネットワークの二重調整方法。
【請求項１３】
前記方法は、さらに、
前記第１のノードデバイスが第５の時間領域リソースにおいて第５のノードデバイスと端末間Ｄ２Ｄ通信を行うことを含み、
前記第５の時間領域リソースが第６のノードデバイスにより構成され、前記第６のノードデバイスは、前記第２のノードデバイス、アンカーノードデバイス、アクセスネットワークデバイス、又はコアネットワークデバイスである
ことを特徴とする請求項１〜１２のいずれか１項に記載の中継ネットワークの二重調整方法。
【請求項１４】
通信ユニットを備える中継ノードデバイスであって、
前記通信ユニットは、構成情報に基づいて、第１の時間領域リソースにおいて第２のノードデバイスにより送信された第１のメッセージを受信し、第２の時間領域リソースにおいて第３のノードデバイスに第２のメッセージを送信するように構成され、
前記構成情報が前記第１の時間領域リソース及び／又は前記第２の時間領域リソースを示し、前記第２のノードデバイスが前記中継ノードデバイスの親ノードであり、前記第３のノードデバイスが前記中継ノードデバイスの子ノードである
ことを特徴とする中継ノードデバイス。
【請求項１５】
請求項１〜１３のいずれか１項に記載の方法を装置に実行させるためのプログラム命令を含む
ことを特徴とする非一時的なコンピュータ可読媒体。
【国際調査報告】
2021515432.tif 000012
2021515432.tif 000013
2021515432.tif 000014
2021515432.tif 000015